(57)【要約】【課題】凹部が円筒形電池を保持可能な形状であるとともに、その凹部を膨出成形する際に傷や破損等が生ずる虞の少ない電池カバーを提供する。【解決手段】円筒形電池２２を収容する凹部１２が膨出成形された電池カバー１０であって、凹部１２は、円筒形電池２２の外径Ｌ２より狭い間隔で円筒形電池２２の軸芯Ｃを挟んで平行に対面する一対の第１平面部１３及び第２平面部１４を含む。第１平面部１３と第２平面部１４は、凹部１２に円筒形電池２２が収容された状態において、円筒形電池２２の外周面に押されて円筒形電池２２の外周面に沿う湾曲形状にそれぞれ弾性変形する。凹部１２に収容された円筒形電池２２は、その軸芯Ｃを挟んで両側から包み込むように、第１平面部１３と第２平面部１４とで支持された状態で保持される。【選択図】図５
2014035968.tif 000002
【特許請求の範囲】
【請求項１】
円筒形電池を収容する凹部が膨出成形された電池カバーであって、
前記凹部は、前記円筒形電池の外径より狭い間隔で前記円筒形電池の軸芯を挟んで平行に対面する一対の平面部を含む、ことを特徴とする電池カバー。
【請求項２】
請求項１に記載の電池カバーにおいて、前記凹部は、前記円筒形電池の軸芯方向に間隔をもって前記一対の平面部が複数形成されている、ことを特徴とする電池カバー。
【請求項３】
円筒形電池を収容する凹部が膨出成形された電池カバーと、
前記凹部を塞ぐ蓋体と、を備え、
前記凹部は、前記円筒形電池の外径より狭い間隔で前記円筒形電池の軸芯を挟んで平行に対面する一対の平面部を含む、ことを特徴とする電池パッケージ。
【発明の詳細な説明】
【技術分野】
【０００１】
本発明は、円筒形電池を収容する凹部が膨出成形された電池カバー、その電池カバーを備える電池パッケージに関する。
【背景技術】
【０００２】
一般的な電子機器や玩具等で使用される乾電池や二次電池として、単三型や単四型等の円筒形電池が広く普及している。このような円筒形電池のパッケージの一例として、円筒形電池を収容する凹部が膨出成形された電池カバーを備える電池パッケージが公知である。また市販される円筒形電池は、例えば商品名やブランド名、メーカー名等の文字、図形、色彩等による商品固有のデザインが外周面に施されているのが一般的である。そのため市販される円筒形電池の電池パッケージは、一般的に透明の合成樹脂等で電池カバーが形成されており、電池パッケージ内の円筒形電池を外側から視認できるようになっている。
【０００３】
このような電池パッケージにおいては、円筒形電池の外周面のデザインで最も見せたい部分が店頭陳列時に正面に見える向きで円筒形電池が収容されているのが望ましい。また複数の円筒形電池を収容可能な電池パッケージにおいては、収容されている複数の円筒形電池の外周面のデザインの見え方が同じ向きで揃っている方が見栄えが良い。
【０００４】
しかし電池パッケージ内の円筒形電池は、円筒形状であるが故に、例えば輸送時の振動等によって電池パッケージ内で周方向へ回転する可能性がある。そのため工場等において適切な向きで電池カバーの凹部に円筒形電池を収容してパッケージしても、その電池パッケージが店頭で陳列されるときには、その電池パッケージ内の円筒形電池の向きがずれて適切な向きでなくなっている、ということが起こり得る。
【０００５】
このような課題を解決することを目的とした従来技術としては、例えば断面形状が円筒形電池の外周面に沿う略円弧形状となるように電池カバーの凹部を膨出成形した電池パッケージが公知である（例えば特許文献１を参照）。当該従来技術によれば、電池カバーの凹部の内周面と円筒形電池の外周面との接触面積を大きくすることによって、接触面の摩擦抵抗が大きくなるので、電池パッケージ内で円筒形電池が回転して向きがずれる虞を低減することができる。また電池パッケージの他の従来技術としては、例えば電池カバーの凹部内の開口部近傍に、収納される円筒形電池の外径よりも凹部の内径を幅狭にする突起等の電池保持部が形成された電池パッケージが公知である（例えば特許文献２を参照）。当該従来技術によれば、突起等の電池保持部によって電池カバーの凹部に円筒形電池が保持されるので、電池パッケージ内で円筒形電池が回転して向きがずれる虞を低減することができる。
【先行技術文献】
【特許文献】
【０００６】
【特許文献１】特開２００２−１９８０２２号公報
【特許文献２】特開２０００−２８１１２９号公報
【発明の概要】
【発明が解決しようとする課題】
【０００７】
しかしながら上記の特許文献１に開示されている電池パッケージは、電池カバーの凹部内で円筒形電池が保持されないため、依然として電池パッケージ内で円筒形電池が回転して向きがずれてしまう虞が生ずる。
【０００８】
また上記の特許文献２に開示されている電池パッケージは、電池カバーの凹部の内側に突起が形成されている。このような内側に突起を設けた凹部を膨出成形するには、成形型の凹部に逆勾配形状となる部分を設ける必要がある。そのため電池カバーの製造工程において、電池カバーに凹部を膨出成形した後、その電池カバーを成形型から取り外す際に、その成形型の凹部の逆勾配形状の部分が電池カバーの凹部に引っかかってしまうことになる。つまり上記の特許文献２に開示されている電池パッケージは、電池カバーに凹部を膨出成形する製造工程において、その電池カバーの凹部に傷や破損等が生ずる虞がある。
【０００９】
このような状況に鑑み本発明はなされたものであり、その目的は、凹部が円筒形電池を保持可能な形状であるとともに、その凹部を膨出成形する際に傷や破損等が生ずる虞の少ない電池カバーを提供することにある。
【課題を解決するための手段】
【００１０】
＜本発明の第１の態様＞
本発明の第１の態様は、円筒形電池を収容する凹部が膨出成形された電池カバーであって、
前記凹部は、前記円筒形電池の外径より狭い間隔で前記円筒形電池の軸芯を挟んで平行に対面する一対の平面部を含む、ことを特徴とする電池カバーである。
【００１１】
一対の平面部は、円筒形電池の外径より狭い間隔で対面している。そのため凹部に円筒形電池が収容された状態において、一対の平面部は、円筒形電池の外周面に押されて円筒形電池の外周面に沿う湾曲形状にそれぞれ弾性変形する。また一対の平面部は、円筒形電池の軸芯を挟んで対面している。そのため凹部に円筒形電池が収容された状態において、一対の平面部は、円筒形電池の外周面に沿う湾曲形状に弾性変形した状態で円筒形電池の外周面に密着する。したがって凹部に収容された円筒形電池は、その軸芯を挟んで両側から包み込むように、一対の平面部に支持された状態でしっかりと保持されることになる。それによって例えば、凹部に収容された円筒形電池が輸送時の振動等によって周方向へ回転してしまう虞を低減することができる。
【００１２】
また一対の平面部は、平行に対面しているので、電池カバーに凹部を膨出成形する成形金型に逆勾配形状となる部分を設けなくてよい。したがって電池カバーの製造工程において、電池カバーに凹部を膨出成形した後、その電池カバーを成形金型から取り外す際に、その成形金型の凹部が電池カバーの凹部に引っかかってしまう虞が生じない。それによって電池カバーに凹部を膨出成形する際に、電池カバーに傷や破損等が生ずる虞を低減することができる。
【００１３】
これにより本発明の第１の態様によれば、凹部が円筒形電池を保持可能な形状であるとともに、その凹部を膨出成形する際に傷や破損等が生ずる虞の少ない電池カバーを提供することができるという作用効果が得られる。
【００１４】
＜本発明の第２の態様＞
本発明の第２の態様は、前述した本発明の第１の態様において、前記凹部は、前記円筒形電池の軸芯方向に間隔をもって前記一対の平面部が複数形成されている、ことを特徴とする電池カバーである。
【００１５】
一対の平面部が形成されている部分においては、前述したように、凹部に収容された円筒形電池は、その軸芯を挟んで両側から包み込むように一対の平面部に支持された状態で保持されることになる。他方、複数の一対の平面部の間の領域、つまり一対の平面部が形成されていない部分においては、凹部に収容された円筒形電池は保持されない。したがって複数の一対の平面部を形成する数や範囲、間隔等を調整することによって、凹部に収容された円筒形電池の保持力を調整することができる。それによって凹部に収容された円筒形電池を適切な保持力で保持することができるので、例えば円筒形電池の外周面に沿う湾曲形状に弾性変形した一対の平面部の弾性復帰力によって円筒形電池が凹部から押し出されてしまう虞を未然に防止することができる。
【００１６】
＜本発明の第３の態様＞
本発明の第３の態様は、円筒形電池を収容する凹部が膨出成形された電池カバーと、前記凹部を塞ぐ蓋体と、を備え、前記凹部は、前記円筒形電池の外径より狭い間隔で前記円筒形電池の軸芯を挟んで平行に対面する一対の平面部を含む、ことを特徴とする電池パッケージである。
本発明の第３の態様によれば、円筒形電池を収容する凹部が膨出成形された電池カバーとその凹部を塞ぐ蓋体とを備える電池パッケージにおいて、前述した本発明の第１の態様と同様の作用効果を得ることができる。
【発明の効果】
【００１７】
本発明によれば、凹部が円筒形電池を保持可能な形状であるとともに、その凹部を膨出成形する際に傷や破損等が生ずる虞の少ない電池カバーを提供することができる。
【図面の簡単な説明】
【００１８】
【図１】本発明に係る電池カバーの斜視図。
【図２】本発明に係る電池パッケージの分解斜視図。
【図３】本発明に係る電池パッケージの要部を図示した側断面図。
【図４】図３の符合Ａで示した部分を拡大図示した電池カバーの凹部の断面図。
【図５】図３の符合Ｂで示した部分を拡大図示した電池カバーの凹部の断面図。
【図６】電池カバーに凹部を膨出成形する過程を図示した断面図。
【発明を実施するための形態】
【００１９】
以下、本発明の実施の形態について図面を参照しながら説明する。
尚、本発明は、以下説明する実施例に特に限定されるものではなく、特許請求の範囲に記載された発明の範囲内で種々の変形が可能であることは言うまでもない。
【００２０】
図１は、本発明に係る電池カバー１０の斜視図である。図２は、本発明に係る電池パッケージ２０の分解斜視図である。図３は、本発明に係る電池パッケージ２０の要部を図示した側断面図である。
【００２１】
本発明に係る電池パッケージ２０は、電池カバー１０及び蓋体２１を備える。
【００２２】
電池カバー１０は、電池パッケージ２０内の円筒形電池２２を外側から視認できるように、ポリエチレンテレフタレート（Polyethylene Terephthalate：ＰＥＴ）やポリプロピレン（Polypropylene：ＰＰ）等の透明の樹脂材で成形されている。電池カバー１０は、薄板状のカバー本体１１と、円筒形電池２２を収容する４つの凹部１２とを含む。４つの凹部１２は、円筒形電池２２の外形形状に沿った形状の凹部であり、公知の膨出成形によってカバー本体１１に形成されている。またカバー１１の上部には、長孔１５が形成されている。電池パッケージ２０は、例えば電池カバー１０の長孔１５に挿通された棒体（図示せず）に吊持させることによって、店頭等に陳列される。
【００２３】
蓋体２１は、電池カバー１０の４つの凹部１２を塞ぐための薄板状の部材である。蓋体２１は、例えば厚紙、あるいはポリエチレンテレフタレートやポリプロピレン等の透明の樹脂材で成形されており、電池カバー１０の裏面に貼着等して取り付けられる。円筒形電池２２は、例えば単３型や単４型の乾電池、ニッケル水素二次電池等である。
【００２４】
図４は、電池カバー１０の凹部１２の断面図であり、図３の符合Ａで示した部分を拡大図示したものである。図５は、電池カバー１０の凹部１２の断面図であり、図３の符合Ｂで示した部分を拡大図示したものである。より具体的には、図４は、円筒形電池２２を収容していない状態の凹部１２の断面図であり、図５は、円筒形電池２２を収容した状態の凹部１２の断面図である。
【００２５】
電池カバー１０の４つの凹部１２のそれぞれには、円筒形電池２２の外径Ｌ２より狭い間隔Ｌ１で円筒形電池２２の軸芯Ｃを挟んで平行に対面する「一対の平面部」としての第１平面部１３及び第２平面部１４が形成されている（図４）。第１平面部１３と第２平面部１４は、円筒形電池２２の外径Ｌ２より狭い間隔Ｌ１で対面している。そのため第１平面部１３と第２平面部１４は、凹部１２に円筒形電池２２が収容された状態において、円筒形電池２２の外周面に押されて円筒形電池２２の外周面に沿う湾曲形状にそれぞれ弾性変形する（図５）。
【００２６】
また第１平面部１３と第２平面部１４は、円筒形電池２２の軸芯Ｃを挟んで対面しているので、円筒形電池２２の外周面に沿う湾曲形状に弾性変形した状態で円筒形電池２２の外周面に密着する。したがって凹部１２に収容された円筒形電池２２は、その軸芯Ｃを挟んで両側から包み込むように、第１平面部１３と第２平面部１４とで支持された状態でしっかりと保持されることになる。それによって例えば、凹部１２に収容された円筒形電池２２が輸送時の振動等によって周方向へ回転してしまう虞を低減することができる。
【００２７】
さらに電池カバー１０は、４つの凹部１２のそれぞれに、第１平面部１３及び第２平面部１４が円筒形電池２２の軸芯方向（軸芯Ｃに沿う方向）に間隔をもって２つずつ形成されている。第１平面部１３及び第２平面部１４が形成されている部分においては、前述したように、凹部１２に収容された円筒形電池２２は、その軸芯Ｃを挟んで両側から包み込むように、第１平面部１３と第２平面部１４とで支持された状態で保持される。他方、第１平面部１３及び第２平面部１４が形成されていない部分においては、凹部１２に収容された円筒形電池２２は保持されない。
【００２８】
したがって第１平面部１３及び第２平面部１４を形成する数や範囲、間隔等を調整することによって、凹部１２に収容された円筒形電池２２の保持力を調整することができる。それによって凹部１２に収容された円筒形電池２２を適切な保持力で保持することができる。より具体的には、例えば円筒形電池２２の外周面に沿う湾曲形状に弾性変形した第１平面部１３及び第２平面部１４の弾性復帰力によって円筒形電池２２が凹部１２から押し出されてしまう虞を未然に防止することができる。
【００２９】
図６は、電池カバー１０に凹部１２を膨出成形する過程を図示した凹部１２の側断面図である。
【００３０】
電池カバー１０の凹部１２は、前述したように膨出成形により形成されている。より具体的には薄板状のカバー本体１１を加熱しながら成形金型３０の凹部３１を吸引することによって、成形金型３０の凹部３１に沿う形状の凹部１２を膨出成形することができる。凹部１２を膨出成形した後、カバー本体１１を符合Ｄで示した方向へ引き抜くことによって、カバー本体１１を成形金型３０から取り外す。
【００３１】
本発明に係る電池カバー１０は、第１平面部１３及び第２平面部１４が平行に対面しているので、電池カバー１０に凹部１２を膨出成形する成形金型３０の凹部３１に逆勾配形状となる部分を設けなくてよい。したがって電池カバー１０の製造工程において、電池カバー１０に凹部１２を膨出成形した後、その電池カバー１０を成形金型３０から符合Ｄで示した引き抜き方向へ取り外す際に、その成形金型３０の凹部３１が電池カバー１０の凹部１２に引っかかってしまう虞が生じない。それによって電池カバー１０に凹部１２を膨出成形する際に、電池カバー１０に傷や破損等が生ずる虞を低減することができる。
【００３２】
このようにして本発明によれば、凹部１２が円筒形電池２２を保持可能な形状であるとともに、その凹部１２を膨出成形する際に傷や破損等が生ずる虞の少ない電池カバー１０を提供することができる。
【符号の説明】
【００３３】
１０  電池カバー
１１  カバー本体
１２  電池カバーの凹部
１３  第１平面部
１４  第２平面部
２０  電池パッケージ
２１  蓋体
２２  円筒形電池
３０  成形金型
【図１】
2014035968.tif 000003
【図２】
2014035968.tif 000004
【図３】
2014035968.tif 000005
【図４】
2014035968.tif 000006
【図５】
2014035968.tif 000007
【図６】
2014035968.tif 000008